(57)【要約】【課題】窓の開閉操作によっても着脱操作を行う必要のないペット出入口シートを提供する。【解決手段】細長短冊状に形成されたシート部材１０の、長手方向の２つの縦辺に相当する２つの縦端縁部のうち一方の縦端縁部１１ａが、その下部１４に対応する部分を除いて、窓枠２０に対応した開口枠３０の縦枠部３１に固定され、他方の縦端縁部１１ｂが、その下部１４に対応する部分を除いて窓枠２０の縦枠部２１に固定され、下部１４は固定されていないためシート部材１０の柔軟性によりペットの出入りを可能とし、しかもシート部材１０自体は柔軟であるため、取り外すことなく窓の開閉を阻害しない。【選択図】図１
2008285926.tif 000002
【特許請求の範囲】
【請求項１】
細長短冊状に形成されたシート部材の、長手方向に沿った２つの縦端縁部のうち一方の縦端縁部が、その下部を除いて、窓枠の縦枠部に固定され、前記２つの縦端縁部のうち他方の縦端縁部が、その下部を除いて、前記窓枠に対応した開口枠の縦枠部に固定されることを特徴とするペット出入口シート。
【請求項２】
前記各縦端縁部は、面ファスナにより、前記各縦枠部に対して着脱可能に固定されることを特徴とする請求項１に記載のペット出入口シート。
【請求項３】
前記細長短冊状の短手方向の略中央において前記長手方向に沿った、前記窓枠または前記開口枠に固定される側の面とは反対の面側に突出する山折りの折り癖が形成されていることを特徴とする請求項１または２に記載のペット出入口シート。
【請求項４】
前記各縦端縁部は、建物の屋外側の窓枠の縦枠部と前記屋外側の開口枠の縦枠部とに着脱可能に固定されることを特徴とする請求項１から３のうちいずれか１項に記載のペット出入口シート。
【請求項５】
前記シート部材は防水性を有するものであることを特徴とする請求項１から４のうちいずれか１項に記載のペット出入口シート。
【発明の詳細な説明】
【技術分野】
【０００１】
本発明は、ペット出入口シートに関し、詳細には、建物の開口枠および窓枠に後付け可能のペット出入口シートに関する。
【背景技術】
【０００２】
近年、犬や猫等のペットを室内で飼育することが一般的になってきているが、一方で、ペットが室内外（建物内外）を自由に行き来できるようにすることも求められている。
【０００３】
そこで、例えばベランダや庭に通じるスライド式の窓においては、窓を少し開けた状態で窓枠と開口枠とによって画成される開口に嵌め込まれる、外枠が木材等で形成され、下部に吊下げ扉が設けられたペット用ドアパネルが提案されている（特許文献１）。
【０００４】
このペット用ドアパネルによれば、開閉する吊下げ扉以外の上部は固定板やスライド板で塞がれており、また吊下げ扉も、ペットが通過する際に開閉される以外の期間は自重で閉じられているため、室内外の空気の流通を極めて少規模なものに限定することができ、室内の冷暖房効率が低下するのを防止している。
【特許文献１】特開２００２−１１５４６１号公報
【発明の開示】
【発明が解決しようとする課題】
【０００５】
ところで、上述したペット用ドアパネルによると、戸締まり等のために窓を閉める（開口を閉じる）場合には、このペット用ドアパネル自体を回動させる等して、建物の窓枠と開口枠との間の開口からペット用ドアパネルを離脱させる必要がある。
【０００６】
また、窓を閉めた状態（非使用状態）から使用状態に再度戻す場合にも、ペット用ドアパネルを移動させる操作を施す必要があり、使用者に対してこの操作を強いるのは利便性を損なうものである。
【０００７】
本発明は上記事情に鑑みなされたものであり、窓の開閉操作に伴って着脱操作を行う必要のないペット出入口シートを提供することを目的とするものである。
【課題を解決するための手段】
【０００８】
本発明に係るペット出入口シートは、細長短冊状に形成されたシート部材の、一方の縦端縁部を窓枠の縦枠部に固定し、他方の縦端縁部を開口枠の縦枠部に固定しつつも、いずれの縦端縁部も、その下部については固定しないものとしてシート部材の柔軟性を確保してペットの出入りを可能とし、しかも、シート部材自体の柔軟性により、取り外すことなく窓の開閉を阻害しないようにしたものである。
【０００９】
すなわち、本発明に係るペット出入口シートは、細長短冊状に形成されたシート部材の、長手方向に沿った２つの縦端縁部のうち一方の縦端縁部が、その下部を除いて、窓枠の縦枠部に固定され、前記２つの縦端縁部のうち他方の縦端縁部が、その下部を除いて、前記窓枠に対応した開口枠の縦枠部に固定されることを特徴とする。
【００１０】
このように構成された本発明に係るペット出入口シートによれば、細長短冊状のシート部材の一方の縦端縁部が窓枠の縦枠部に固定され、他方の縦端縁部が開口枠の縦枠部に固定されることで、窓枠と開口枠との間にシート部材が張架され、これにより窓枠と開口枠との間の開口はシート部材によって塞がれ、室内外の空気の流通を極めて少規模なものに限定することができ、室内の冷暖房効率が低下するのを防止することができる。
【００１１】
また、窓枠の縦枠部に固定される縦端縁部のうち下部は固定されず、同じく、開口枠の縦枠部に固定される縦端縁部のうち下部は固定されないため、このシートの下部は下端縁および両側縁が拘束されていない状態となり、したがってシート部材自体の柔軟性が保持され、ペットがこのシート部材を屈曲させて通過するのを許容する。
【００１２】
さらに、窓を閉めると、窓枠の縦枠部と開口枠の縦枠部とが近接するが、窓枠の縦枠部と開口枠の縦枠部とにそれぞれ固定されたシート部材は、その柔軟性によって折り曲げられ、これによりシート部材自体を窓枠や開口枠から取り外すことなく、窓を閉じることができる。
【００１３】
したがって、窓の開閉操作の度に、シート部材の着脱操作を行う必要がなく、使用者の利便性を損なうことがない。
【００１４】
しかも、この窓の外側に雨戸等が近接して設置されている場合も、シート部材は、その柔軟性により、窓と雨戸等との間の隙間において折り曲げられた状態で存置することができるため、雨戸等の使用を妨げることもない。
【００１５】
また、本発明に係るペット出入口シートにおいては、前記各縦端縁部は、面ファスナにより、前記各縦枠部に対して着脱可能に固定されることが好ましい。
【００１６】
このように好ましい構成のペット出入口シートによれば、ペット出入口シートが不要になったときや、窓を全開したい等の場合には、各縦枠部とペット出入口シートの各縦端縁部との間の面ファスナによる各結合を剥離することで、窓枠と開口枠との間の拘束を簡単に解除することができる。
【００１７】
また、本発明に係るペット出入口シートにおいては、前記細長短冊状の短手方向の略中央において長手方向に沿った、前記窓枠または前記開口枠に固定される側の面とは反対の面側に突出する山折りの折り癖が形成されていることが好ましい。
【００１８】
このように好ましい構成のペット出入口シートによれば、窓を閉めると、窓枠の縦枠部と開口枠の縦枠部とが近接してシート部材自体は折り曲げられるが、このとき、折り癖の部分で折り畳まれることとなり、円滑に折曲げ（折畳み）を誘発することができる。
【００１９】
また、本発明に係るペット出入口シートにおいては、前記各縦端縁部は、建物の屋外側の窓枠の縦枠部と前記屋外側の開口枠の縦枠部とに着脱可能に固定されることが好ましい。
【００２０】
このように好ましい構成のペット出入口シートによれば、折り曲げられたシート部材は、建物外側の空間に突出し、建物内側の空間には突出しないため、建物内側の空間容積を減少させることがない。
【００２１】
また、本発明に係るペット出入口シートにおいては、前記シート部材は防水性を有するものであることが好ましい。
【００２２】
このように好ましい構成のペット出入口シートによれば、このシート部材のうち一方の面が屋外に晒されるものであっても、雨やみぞれ、雪等を、その防水性によってはじくことができ、雨等が、シート部材の屋外側の面から建物内側の面からしみ込んで、建物内側に水分が浸透するのを防ぐことができる。
【発明の効果】
【００２３】
本発明に係るペット出入口シートによれば、窓の開閉操作の度に着脱操作を行う必要がない。
【発明を実施するための最良の形態】
【００２４】
以下、本発明に係るペット出入口シートの最良の実施形態について、図面を参照して説明する。
【００２５】
図１は、本発明の一実施形態に係るペット出入口シートの一実施形態を示す斜視図である。
【００２６】
図示のペット出入口シートは、細長短冊状に形成された繊維やビニールなどの高分子材料等で形成されたシート状の部材（シート部材１０）と、このシート部材１０およびこのシート部材１０が設置される建物の窓部に貼着等固定される面ファスナ（雄、雌）１５ａ，１６ａ，１５ｂ，１６ｂとを備えたものである。
【００２７】
なお、シート部材１０は防水性を有するものであることが好ましい。
【００２８】
また、シート部材１０は、その長手方向の２つの縦辺に相当する２つの縦端縁部の一方の縦端縁部１１ａのうち下部１４に対応する部分を除いた部分が、窓ガラス２４が嵌め込まれた窓枠２０に対応した開口枠３０の縦枠部３１に固定され、２つの縦端縁部の他方の縦端縁部１１ｂのうち下部１４に対応する部分を除いた部分が、窓枠２０の縦枠部２１に固定される。
【００２９】
ここで、シート部材１０の一方の縦端縁部１１ａには、両面テープ、接着剤または縫製によって面ファスナ（雄）１５ａが固定されており、開口枠３０の縦枠部３１には、両面テープ、接着剤または縫製によって面ファスナ（雌）１６ａが固定される。そして、雌雄の面ファスナ１６ａ，１５ａが互いに係合することによって、シート部材１０の一方の縦端縁部１１ａは、開口枠３０の縦枠部３１に、着脱可能に固定される。
【００３０】
同様に、シート部材１０の他方の縦端縁部１１ｂには、両面テープ、接着剤または縫製によって面ファスナ（雄）１５ｂが固定されており、窓枠２０の縦枠部２１には、両面テープ、接着剤または縫製によって面ファスナ（雌）１６ｂが固定される。そして、雌雄の面ファスナ１６ｂ，１５ｂが互いに係合することによって、シート部材１０の他方の縦端縁部１１ｂは、窓枠２０の縦枠部２１に、着脱可能に固定される。
【００３１】
なお、シート部材１０の各縦端縁部１５ａ，１５ｂがそれぞれ着脱可能に固定される窓枠２０の縦枠部２１および開口枠３０の縦枠部３１は、いずれも屋外側の面とされている。
【００３２】
また、シート部材１０の縦端縁部１１ａのうち下部１４に対応する部分および縦端縁部１１ｂのうち下部１４に対応する部分は形成されていない。
【００３３】
シート部材１０は、細長短冊状の短手方向の略中央において長手方向に沿った、窓枠２０または開口枠３０に固定される側の面とは反対の面側に突出する山折りの折り癖１３ａが形成されている。
【００３４】
一方、シート部材１０のうち、縦端縁部１１ａ，１１ｂ（面ファスナ１６ａ，１６ｂによって固定される部分）と、縦端縁部分１１ａ，１１ｂを除いた部分（本体部分１３）との間には、長手方向に沿った谷折りの折り癖１２ａ，１２ｂが形成されている。
【００３５】
以上のように構成された本実施形態に係るペット出入口シートによれば、細長短冊状のシート部材１０の一方の縦端縁部１１ｂが窓枠２０の縦枠部２１に固定され、他方の縦端縁部が１１ａ開口枠３０の縦枠部３１に固定されることで、図２（ａ）の断面図に示すように、窓枠２０と開口枠３０との間にシート部材１０の本体部１３が張架され、これにより窓枠２０と開口枠３０との間の開口４０はシート部材２０によって塞がれ、室内・屋外架間の空気の流通を極めて少規模なものに限定することができ、室内の冷暖房効率が低下するのを防止することができる。
【００３６】
また、窓枠２０の縦枠部２１に固定される縦端縁部１１ｂのうち下部１４に対応する部分は固定されず、同じく、開口枠３０の縦枠部３１に固定される縦端縁部１１ａのうち下部１４に対応する部分は固定されないため、このシートの本体部１３の下部１４は下端縁および両側縁が拘束されていない状態（図２（ｂ）および図３参照）となり、シート部材１０自体の屈曲が可能な程度に柔軟性が保持されている。
【００３７】
したがって、図３の二点鎖線に示すように、犬や猫等のペットがこのシート部材１０の本体部１３の下部１４を押すと、下部１４はそれに応じて柔軟に屈曲し、開口４０が開いて、ペットはこの開口４０を自由に通過することができ、ペットの自由な出入りを可能としている。
【００３８】
さらに、図４に示すように窓を閉める（開口４０を閉じる）と、窓枠２０の縦枠部２１と開口枠３０の縦枠部３１とが近接するが、窓枠２０の縦枠部２１と開口枠３０の縦枠部３１とにそれぞれ固定されるシート部材１０自体（本体部１３）は、柔軟性を有するため、折り曲げられて重ね合わされ、これによりシート部材１０自体を取り外すことなく、窓（開口４０）を閉じることができる。
【００３９】
したがって、窓の開閉操作の都度、このペット出入口シートの着脱操作を行う必要がなく、使用者の利便性を損なうことがない。
【００４０】
しかも、シート部材１０自体は、折り癖１３ａ，１２ａ，１２ｂに沿って容易に折り畳まれるため、折り畳まれたシート部材１０の占有スペースを小さくすることができるとともに、折畳みを円滑に誘発することができる。
【００４１】
さらに、図５に示すように、この窓の外側に雨戸５０等が近接して設置されている場合も、シート部材１０は、その柔軟性により、窓枠２０（あるいは開口枠３０）と雨戸５０等との間の隙間において折り畳まれた状態で存置することができるため、雨戸５０等の使用を妨げることもない。
【００４２】
また、本実施形態に係るペット出入口シートによれば、ペット出入口シートが不要になったときや、窓を全開したい等の場合には、各縦枠部３１，２１とペット出入口シートの各縦端縁部１１ａ，１１ｂとの間の面ファスナ１５ａ，１６ａおよび１５ｂ，１６ｂによる各結合を剥離することで、窓枠２０と開口枠３０との間の拘束を簡単に解除することができる。
【００４３】
また、このように面ファスナ１５ａ，１６ａおよび１５ｂ，１６ｂを設置するだけの簡単な作業で、既存の開口枠３０および窓枠２０にも、ペット出入口シートのシート部材１０を設置することができる。
【００４４】
さらに、窓を閉めると、窓枠２０の縦枠部２１と開口枠３０の縦枠部３１とが近接してシート部材１０自体は折り畳まれるが、このとき、折り癖１３ａの部分で折り畳まれることとなり、円滑に折畳みを誘発することができる。
【００４５】
また、折り畳まれたシート部材１０は、建物外側（屋外側）の空間に突出し、建物内側（室内側）の空間には突出しないため、建物内側の空間容積を減少させることがない。
【００４６】
なお、シート部材１０は防水性を有するものであるため、このシート部材１０のうち屋外に晒される面に、雨やみぞれ、雪等を受けても、その防水性によって水分をはじくことができ、雨等が、シート部材１０の屋外側の面から建物内側の面からしみ込んで、建物内側に水分が浸透するのを防ぐことができる。
【図面の簡単な説明】
【００４７】
【図１】本発明の一実施形態に係るペット出入口シートを示す斜視図である。
【図２】窓を開けた状態において、（ａ）は図１におけるＡ１−Ａ１線に沿った断面を示す断面図、（ｂ）は図１におけるＡ２−Ａ２線に沿った断面を示す断面図、である。
【図３】図１におけるＢ−Ｂ線に沿った断面を示す断面図である。
【図４】窓を閉じた状態において、図１におけるＡ１−Ａ１線に沿った断面を示す断面図である。
【図５】図４に示す状態において、雨戸を使用した状態を示す断面図である。
【符号の説明】
【００４８】
１０    シート部材
１１ａ，１１ｂ  縦端縁部
１４    下部
２０    窓枠
２１，３１  縦枠部
３０    開口枠
【図１】
2008285926.tif 000003
【図２】
2008285926.tif 000004
【図３】
2008285926.tif 000005
【図４】
2008285926.tif 000006
【図５】
2008285926.tif 000007